【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】
データを記録媒体に記録する記録装置において、
データを記録する記録媒体の記録部分と未記録部分とを区別することのできるピックアップ部と、
データを暗号化するための鍵データを生成する鍵生成部と、
上記鍵データに基づいて記録すべきデータを暗号化する暗号化処理部と、
上記ピックアップ部から読み取った上記記録媒体の未記録部分に、上記暗号化処理部によって暗号化された記録すべきデータを記録する制御を行うとともに、上記鍵生成部で生成された上記鍵データを、前後に未記録部分を設けた状態で記録する制御を行う記録制御部とを備えることを特徴とする記録装置。
【請求項２】
上記記録制御部が、上記記録媒体の読み出し順において、記録すべきデータが記録されるべき領域の範囲の最後部から後ろ側に、上記鍵生成部で生成された上記鍵データを、データの記録順に上記記録媒体に記録する制御を行うことを特徴とする請求項１記載の記録装置。
【請求項３】
上記記録制御部が、上記鍵生成部で生成された上記鍵データを、上記記録媒体の読み出し順で最後部から、データの記録順に上記記録媒体に記録する制御を行うことを特徴とする請求項１記載の記録装置。
【請求項４】
上記記録制御部が、上記記録媒体の読み出し順において、上記鍵生成部で生成された上記鍵データを、上記記録するデータの直後に記録し、次回に記録されるデータを、前回に記録された上記鍵データの後ろ側に記録する制御を行うことを特徴とする請求項１記載の記録装置。
【請求項５】
上記記録制御部が、上記鍵生成部で生成された上記鍵データを複数に分割し、それぞれを複数の箇所に記録する制御を行うことを特徴とする請求項１記載の記録装置。
【請求項６】
上記鍵データが複数ある場合、上記記録制御部が、１つの鍵データに対して記録する区間を１つずつ設け、その区間において、ランダムな位置に、鍵データを記録する制御を行うことを特徴とする請求項１、２、または３記載の記録装置。
【請求項７】
請求項１ないし５のいずれか一項に記載の記録装置によってデータが記録された記録媒体のデータを消去する消去装置であって、
上記記録媒体の記録部分と未記録部分とを区別することができるピックアップ部と、
ランダムな値とランダムなデータ量を持つダミーデータを生成するダミーデータ生成部と、
上記鍵データの前後に設けられた未記録部分に、上記ダミーデータ生成部で生成されたダミーデータを記録する制御を行う記録制御部とを備えることを特徴とする消去装置。
【請求項８】
請求項６記載の記録装置によってデータが記録された記録媒体のデータを消去する消去装置であって、
上記記録媒体の記録部分と未記録部分とを区別することができるピックアップ部と、
ランダムな値とランダムなデータ量を持つダミーデータを生成するダミーデータ生成部と、
上記鍵データが記録されている区間内において、該鍵データの前後に設けられた未記録部分に、上記ダミーデータ生成部で生成されたダミーデータを記録する制御を行う記録制御部とを備えることを特徴とする消去装置。
【請求項９】
データを記録媒体に記録する記録装置において、
記録すべきデータのデータ量と、記録すべきデータのデータ量以外に記録時に必要なデータ量とを取得するデータ量判断部と、
データを暗号化するための鍵データを上記データ量判断部が取得したデータ量に基づいて生成する鍵生成部と、
上記鍵生成部が生成した上記鍵データを用いて、記録すべきデータを暗号化する暗号化処理部と、
上記暗号化処理部によって暗号化されたデータを上記記録媒体に記録する制御を行う記録制御部とを備えることを特徴とする記録装置。
【請求項１０】
ランダムな値とランダムなデータ量を持つダミーデータを生成するダミーデータ生成部をさらに備え、
上記データ量判断部が、記録するデータのデータ量と、上記ダミーデータ生成部が生成したダミーデータのデータ量との合計のデータ量を取得し、
上記鍵生成部が、上記データ量判断部によって取得された上記合計のデータ量に基づいて鍵データを生成することを特徴とする請求項９記載の記録装置。
【請求項１１】
ランダムな値とランダムなデータ量を持つダミーデータを生成するダミーデータ生成部をさらに備え、
上記記録制御部が、上記ダミーデータ生成部が生成したダミーデータを上記記録媒体に記録する制御を行うとともに、
上記データ量判断部が、記録媒体に記録されたダミーデータのデータ量を取得し、
上記鍵生成部が、上記データ量判断部によって取得された上記データ量に基づいて鍵データを生成することを特徴とする請求項９記載の記録装置。
【請求項１２】
上記記録制御部が、上記記録媒体における過去のデータ量の履歴を、上記鍵生成部で生成された鍵データを用いて暗号化して上記記録媒体に記録する制御を行うことを特徴とする請求項１０記載の記録装置。
【請求項１３】
上記記録制御部が、上記記録媒体の読み出し順において、次回のデータを記録する位置の直前に、上記ダミーデータ生成部が生成したダミーデータを上記記録媒体に記録する制御を行うことを特徴とする請求項１０記載の記録装置。
【請求項１４】
上記データ量判断部が、上記記録媒体に既に記録されているデータ量と、これから記録するデータのデータ量との合計のデータ量を取得するとともに、
上記記録制御部が、この取得したデータ量に基づいて上記鍵生成部が生成した鍵データを用いて、記録すべきデータを暗号化して上記記録媒体に記録する制御を行うことを特徴とする請求項１０記載の記録装置。
【請求項１５】
上記記録制御部が、上記記録媒体においてダミーデータが記録されている前後に、上記ダミーデータ生成部が生成したランダムな値でランダムなデータ量を持つダミーデータを記録する制御を行い、
上記データ量判断部が、上記記録媒体に既に記録されているダミーデータのデータ量と、今回記録したダミーデータの合計のデータ量を取得し、
上記記録制御部が、この取得したデータ量に基づいて上記鍵生成部が生成した鍵データを用いて、過去のダミーデータのデータ量の履歴を上記記録媒体に記録する制御を行うことを特徴とする請求項１１記載の記録装置。
【請求項１６】
上記記録制御部が、データを記録する際に用いたデータ量の基準を変える位置に、上記ダミーデータ生成部が生成したランダムな値でランダムなデータ量を持つダミーデータを記録する制御を行うことを特徴とする請求項１２記載の記録装置。
【請求項１７】
請求項９、請求項１０、請求項１１、請求項１３、および請求項１４のいずれか一項に記載の記録装置によってデータが記録された記録媒体のデータを消去する消去装置であって、
データを記録する記録媒体の記録部分と未記録部分とを区別することのできるピックアップ部と、
記録すべきデータのデータ量と、記録すべきデータのデータ量以外に記録時に必要なデータ量との合計のデータ量を取得するデータ量判断部と、
データを暗号化および復号するための鍵データを生成する鍵生成部と、
データを暗号化および復号する暗号化復号化処理部と、
ランダムな値とランダムなデータ量を持つダミーデータを生成するダミーデータ生成部と、
データを記録するのに用いたデータ量の基準を変える位置に、上記ダミーデータ生成部が生成したダミーデータを記録する制御を行う記録制御部とを備えることを特徴とする消去装置。
【請求項１８】
請求項１２、請求項１５、および請求項１６のいずれか一項に記載の記録装置によってデータが記録された記録媒体のデータを消去する消去装置であって、
データを記録する記録媒体の記録部分と未記録部分とを区別することのできるピックアップ部と、
記録すべきデータのデータ量と、記録すべきデータのデータ量以外に記録時に必要なデータ量との合計のデータ量を取得するデータ量判断部と、
データを暗号化および復号するための鍵データを生成する鍵生成部と、
データを暗号化および復号する暗号化復号化処理部と、
上記記録媒体の過去のデータ量の履歴、または過去のダミーデータのデータ量の履歴から、消去対象のデータを暗号化するのに用いた鍵データのもとになるデータ量を除いたものを暗号化して記録する制御を行う記録制御部を備えることを特徴とする消去装置。
【請求項１９】
ランダムな値とランダムなデータ量を持つダミーデータを生成するダミーデータ生成部をさらに備え、
上記記録制御部が、上記記録媒体の読み出し順において、消去を行うためのデータを記録する位置の直前に、上記ダミーデータ生成部が生成したダミーデータを記録する制御を行うことを特徴とする請求項１８記載の消去装置。
【請求項２０】
請求項１ないし６のいずれか一項に記載の記録装置によってデータが記録された記録媒体、もしくは、請求項７または８記載の消去装置によってデータが消去された記録媒体を再生する再生装置であって、
上記記録媒体の記録部分と未記録部分とを区別することができるピックアップ部と、
上記記録媒体において、前後を未記録部分で囲まれて記録された鍵データを検出する鍵検出部とを備えることを特徴とする再生装置。
【請求項２１】
請求項９ないし１６のいずれか一項に記載の記録装置によってデータが記録された記録媒体、もしくは、請求項１７、１８、または１９記載の消去装置によってデータが消去された記録媒体を再生する再生装置であって、
上記記録媒体に記録されている情報を受け取り、データ量を判断するデータ量判断部と、
上記データ量判断部が判断したデータ量に基づいて鍵データを生成する鍵生成部とを備えることを特徴とする再生装置。
【請求項２２】
データを記録媒体に記録するデータ記録方法において、
データを記録する記録媒体の記録部分と未記録部分とを区別するステップと、
データを暗号化するための鍵データを生成する鍵生成ステップと、
上記鍵データに基づいて記録すべきデータを暗号化する暗号化処理ステップと、
上記記録媒体の記録部分と未記録部分とを区別するステップにおいて取得された記録媒体の未記録部分に、上記暗号化処理ステップによって暗号化された記録すべきデータを記録する制御を行うとともに、上記鍵生成ステップにおいて生成された上記鍵データを、前後に未記録部分を設けた状態で記録する制御を行う記録ステップとを有していることを特徴とするデータ記録方法。
【請求項２３】
データを記録媒体に記録するデータ記録方法において、
データのデータ量を判断するデータ量判断処理ステップと、
データを暗号化するための鍵データを、上記データ量判断処理ステップによって取得されたデータ量に基づいて生成する鍵生成ステップと、
上記鍵生成ステップによって生成された鍵データによってデータを暗号化処理する暗号化処理ステップと、
上記暗号化処理ステップによって暗号化されたデータを、上記記録媒体に記録する記録ステップとを有していることを特徴とするデータ記録方法。
【請求項２４】
請求項２２記載のデータ記録方法によってデータが記録された記録媒体のデータを消去する消去方法であって、
上記データを記録する記録媒体の記録部分と未記録部分とを区別するステップと、
ランダムな値とランダムなデータ量とを持つダミーデータを生成するダミーデータ生成ステップと、
上記鍵データの前後に設けられた未記録部分に、上記ダミーデータ生成ステップにおいて生成されたダミーデータを記録する記録ステップとを有していることを特徴とする消去方法。
【請求項２５】
請求項２２記載のデータ記録方法によってデータが記録された記録媒体、もしくは、請求項２４記載のデータ消去方法によってデータが消去された記録媒体を再生するデータ再生方法であって、
上記記録媒体の記録部分と未記録部分とを区別するステップと、
上記記録媒体において、前後を未記録部分で囲まれて記録された鍵データを検出する鍵検出ステップとを有していることを特徴とするデータ再生方法。
【請求項２６】
請求項２２または２３記載のデータ記録方法、請求項２４記載のデータ消去方法、あるいは、請求項２５記載のデータ再生方法をコンピュータに実行させることを特徴とするプログラム。